(57)【要約】  通信分野においてトンネルをリダイレクションするための方法およびインターワーキング機能エンティティを提供する。旧トンネルに対応するIWSがMMEまたは新トンネルに対応するIWSによって送信されたトンネルリダイレクション通知を受信し、該通知に従って、現在のシグナリングインターワーキングを終了し、またはシグナリング転送指示をMMEまたは新トンネルに対応するIWSに送信し、前記指示に基づいてMMEまたは新トンネルに対応するIWSによって転送されたシグナリングを受信する。トンネルリダイレクション後の資源の浪費を避けるため、または、トンネルリダイレクション後のシグナリングインターワーキングが確実に中断されないようにするために、MMEまたは新トンネルに対応するIWSが、トンネルリダイレクション通知を旧トンネルに対応するIWSに送信することによって、現在のインターワーキングを終了することを可能にする。
2013546278.tif 000002
【特許請求の範囲】
【請求項１】
旧トンネルに対応するインターワーキング機能エンティティIWSが、新トンネルに対応するIWSまたは移動管理エンティティMMEによって送信されたトンネルリダイレクション通知を受信するステップと、
前記通知に従って、前記新トンネルに対応する前記IWSまたは前記MMEにシグナリング転送指示を送信するステップと、
前記シグナリング転送指示に従って、前記新トンネルに対応する前記IWSまたは前記MMEによって転送されたシグナリングを受信するステップと、
を含むことを特徴とするトンネルリダイレクション方法。
【請求項２】
前記シグナリング転送指示に従って、前記新トンネルに対応する前記IWSまたは前記MMEによって転送されたシグナリングを前記受信するステップが、具体的には、
シグナリング転送停止指示が前記新トンネルに対応する前記IWSまたは前記MMEに返信されるまで、前記新トンネルに対応する前記IWSまたは前記MMEによって転送された前記シグナリングを受信するステップを含み、
前記指示は、前記新トンネルに対応する前記IWSまたは前記MMEにシグナリングの転送を停止するように指令することを特徴とする請求項1に記載の方法。
【請求項３】
前記シグナリング転送指示に従って、前記新トンネルに対応する前記IWSまたは前記MMEによって転送されたシグナリングを前記受信するステップが、具体的には、
プリセット期間内、前記新トンネルに対応する前記IWSまたは前記MMEによって転送された前記シグナリングを受信するステップを具備し、
前記新トンネルに対応する前記IWSまたは前記MMEが、前記プリセット期間後、シグナリングの転送を停止することを特徴とする請求項1に記載の方法。
【請求項４】
前記プリセット期間が、プリセットされるか、または前記旧トンネルに対応する前記IWSと前記新トンネルに対応する前記IWSまたは前記MMEとの間で一時的にネゴシエーションされることを特徴とする請求項3に記載の方法。
【請求項５】
前記新トンネルに対応する前記IWSまたは前記MMEがシグナリングの転送を停止した後、前記旧トンネルに対応する前記IWSが前記旧トンネルの資源を解放するステップをさらに含むことを特徴とする請求項2または3に記載の方法。
【請求項６】
旧トンネルに対応するインターワーキング機能エンティティIWSが移動管理エンティティMMEによって送信されたトンネルリダイレクション通知を前記受信するステップが、具体的には、
前記旧トンネルに対応する前記IWSが前記MMEによって送信された前記トンネルリダイレクション通知を受信するステップを含み、
前記MMEがトンネルのリダイレクションをする必要があると判定した後、前記通知が送信されることを特徴とする請求項1に記載の方法。
【請求項７】
旧トンネルに対応するインターワーキング機能エンティティIWSが、新トンネルに対応するIWSによって送信されたトンネルリダイレクション通知を前記受信するステップが、具体的には、
前記旧トンネルに対応する前記IWSが、前記旧トンネルに対応する前記IWSの識別子に従って前記新トンネルに対応する前記IWSによって送信された前記トンネルリダイレクション通知を受信するステップを具備し、
前記MMEがトンネルのリダイレクションをする必要があると判定した後、前記旧トンネルに対応する前記IWSの前記識別子が、前記MMEによって前記新トンネルに対応する前記IWSに送信されることを特徴とする請求項1に記載の方法。
【請求項８】
新トンネルに対応するインターワーキング機能エンティティIWSまたは移動管理エンティティMMEによって送信されたトンネルリダイレクション通知を受信するように構成された第1の受信モジュールと、
前記第1の受信モジュールが受信した前記トンネルリダイレクション通知に従って、前記新トンネルに対応する前記IWSまたは前記MMEにシグナリング転送指示を送信するように構成された送信モジュールと、
前記送信モジュールが送信した前記シグナリング転送指示に従って、前記新トンネルに対応する前記IWSまたは前記MMEによって転送されたシグナリングを受信するように構成された第2の受信モジュールと、
を含むことを特徴とするインターワーキング機能エンティティ。
【請求項９】
前記第2の受信モジュールが、具体的には、シグナリング転送停止指示が前記新トンネルに対応する前記IWSまたは前記MMEに返信されるまで、前記新トンネルに対応する前記IWSまたは前記MMEによって転送された前記シグナリングを受信するように構成され、
前記指示は、前記新トンネルに対応する前記IWSまたは前記MMEにシグナリングの転送を停止するように指令することを特徴とする請求項8に記載のエンティティ。
【請求項１０】
前記第2の受信モジュールが、具体的には、プリセット期間内、前記新トンネルに対応する前記IWSまたは前記MMEによって転送された前記シグナリングを受信し、前記新トンネルに対応する前記IWSまたは前記MMEが、前記プリセット期間後、シグナリングの転送を停止するように構成されたことを特徴とする請求項8に記載のエンティティ。
【請求項１１】
現在実行中のシグナリング交信を終了した後、前記旧トンネルの資源を解放するように構成された解放モジュールをさらに含むことを特徴とする請求項8に記載のエンティティ。
【請求項１２】
旧トンネルに対応するインターワーキング機能エンティティIWSが、新トンネルに対応するIWSまたは移動管理エンティティMMEによって送信されたトンネルリダイレクション通知を受信するステップと、
前記トンネルリダイレクション通知に従って、現在実行中のシグナリング交信を終了するステップと、
を含むことを特徴とするトンネルリダイレクション方法。
【請求項１３】
前記トンネルリダイレクション通知に従って、現在実行中のシグナリング交信を前記終了するステップの後に、前記方法が、前記旧トンネルの資源を解放するステップをさらに含むことを特徴とする請求項12に記載の方法。
【請求項１４】
旧トンネルに対応するインターワーキング機能エンティティIWSが、移動管理エンティティMMEによって送信されたトンネルリダイレクション通知を前記受信するステップが、具体的には、
前記旧トンネルに対応する前記IWSが前記MMEによって送信された前記トンネルリダイレクション通知を受信するステップを具備し、
前記MMEがトンネルのリダイレクションをする必要があると判定した後、前記トンネルリダイレクション通知が送信されることを特徴とする請求項12に記載の方法。
【請求項１５】
旧トンネルに対応するインターワーキング機能エンティティIWSが、新トンネルに対応するIWSによって送信されたトンネルリダイレクション通知を前記受信するステップが、具体的には、
前記旧トンネルに対応する前記IWSが、前記旧トンネルに対応する前記IWSの識別子に従って前記新トンネルに対応する前記IWSによって送信された前記トンネルリダイレクション通知を受信するステップを具備し、
前記MMEがトンネルのリダイレクションをする必要があると判定した後、前記旧トンネルに対応する前記IWSの前記識別子が前記MMEによって前記新トンネルに対応する前記IWSに送信されることを特徴とする請求項12に記載の方法。
【請求項１６】
新トンネルに対応するインターワーキング機能エンティティIWSまたは移動管理エンティティMMEによって送信されたトンネルリダイレクション通知を受信するように構成された受信モジュールと、
前記受信モジュールが受信した前記トンネルリダイレクション通知に従って、現在実行中のシグナリング交信を終了するように構成されたプロセッシングモジュールと、
を含むことを特徴とするインターワーキング機能エンティティ。
【請求項１７】
前記プロセッシングモジュールが前記現在実行中のシグナリング交信を終了した後、前記旧トンネルの資源を解放するように構成された解放モジュールをさらに含むことを特徴とする請求項16に記載のエンティティ。
【発明の詳細な説明】
【技術分野】
【０００１】
本発明は、通信分野に関し、より詳細にはトンネルリダイレクション(tunnel redirection)方法およびインターワーキング(interworking)機能エンティティに関する。
【背景技術】
【０００２】
ワイヤレスブロードバンド技術の課題に対応し既存のネットワーク資源を十分に利用するために、CDMA(Code Division Multiple Access、符号分割多元接続) 1Xの通信事業者は、ユーザにデータサービスを提供するためにLTE(Long Term Evolution、長期進化型)ネットワークを使用し、ユーザに音声サービスを提供するためにCDMA 1Xネットワークを使用し、LTEネットワークエンティティとCDMA 1Xネットワークエンティティとを結合するために設計された1xCS(1x Circuit Switch、1x回線交換) IWS(Interworking Solution、インターワーキングソリューション)機能エンティティを用いて、LTEネットワークエンティティとCDMA 1Xネットワークエンティティとの間のインターワーキングを提供している。説明を簡単にするために、以降、本明細書では1x CS IWSをIWSと記す。
【０００３】
例えば、LTEネットワークにキャンプオン(camp on)するUE(User Equipment、ユーザ端末)は、1xネットワークに向かう1xシグナリングをMME(Mobility Management Entity、移動管理エンティティ)に送信し、次いでMMEは、IWSとの間に確立されたS102トンネルを経由してこの1xシグナリングを対応するIWSに転送する。UEをサービング(serving)している現行のeNB(evolved Node B、進化型無線基地局)が変わった場合、S102トンネルを再び確立する必要があり、すなわち、トンネルはリダイレクションされる。従来技術ではトンネルリダイレクションを処理する場合、MMEは、対応するIWSを再選択し、IWSとの間に新しいS102トンネルを確立した後、UEから送信された1xシグナリングを新トンネルを経由して再選択されたIWSに送信する。
【発明の概要】
【発明が解決しようとする課題】
【０００４】
本発明を実施するプロセスにおいて、本発明者は従来技術が少なくとも以下の欠点を有することが分かっている。
【０００５】
トンネルリダイレクション前、旧トンネル(original tunnel)に対応するIWSは、トンネルがリダイレクションされているかどうかは確認できず、したがって、システム資源の浪費を招くシグナリング交信をさらに実行する。加えて、UEをサービングしている現行のeNBが変わった後、UEから送信されたすべての1xシグナリングは、MMEによって新トンネルを経由して再選択されたIWSに送信される。このとき、UEが旧トンネルに対応するIWSとのシグナリング交信を実行中である場合、旧トンネルに対応するIWSはUEから送信された1xシグナリングを受信することができず、したがって、シグナリング交信が中断される。
【課題を解決するための手段】
【０００６】
トンネルリダイレクション後の資源の浪費またはシグナリング交信の中断を避けるために、本発明の実施形態は、トンネルリダイレクション方法およびインターワーキング機能エンティティを提供する。この技術的解決策は以下の通りである。
【０００７】
一態様では、トンネルリダイレクション方法が提供され、そこでこの方法は、旧トンネルに対応するインターワーキング機能エンティティIWSが、新トンネルに対応するIWSまたは移動管理エンティティMMEによって送信されたトンネルリダイレクション通知を受信するステップと、トンネルリダイレクション通知に従って、新トンネルに対応するIWSまたはMMEにシグナリング転送指示を送信するステップと、このシグナリング転送指示に従って、新トンネルに対応するIWSまたはMMEによって転送されたシグナリングを受信するステップとを含む。
【０００８】
また、インターワーキング機能エンティティも提供され、そこでこのエンティティは、新トンネルに対応するインターワーキング機能エンティティIWSまたは移動管理エンティティMMEによって送信されたトンネルリダイレクション通知を受信するように構成された第1の受信モジュールと、この第1の受信モジュールが受信したトンネルリダイレクション通知に従って、新トンネルに対応するIWSまたはMMEにシグナリング転送指示を送信するように構成された送信モジュールと、この送信モジュールが送信したシグナリング転送指示に従って、新トンネルに対応するIWSまたはMMEによって転送されたシグナリングを受信するように構成された第2の受信モジュールとを含む。
【０００９】
別の態様では、トンネルリダイレクション方法が提供され、そこでこの方法は、旧トンネルに対応するインターワーキング機能エンティティIWSが、新トンネルに対応するIWSまたは移動管理エンティティMMEによって送信されたトンネルリダイレクション通知を受信するステップと、トンネルリダイレクション通知に従って、現在実行中のシグナリング交信を終了するステップとを含む。
【００１０】
また、インターワーキング機能エンティティも提供され、そこでこのエンティティは、新トンネルに対応するインターワーキング機能エンティティIWSまたは移動管理エンティティMMEによって送信されたトンネルリダイレクション通知を受信するように構成された受信モジュールと、この受信モジュールが受信したトンネルリダイレクション通知に従って、現在実行中のシグナリング交信を終了するように構成されたプロセッシングモジュールとを含む。
【００１１】
本発明の実施形態で提供される技術的解決策は、以下の利点をもたらす。
【００１２】
トンネルリダイレクション後、新トンネルに対応するIWSまたはMMEは、トンネルリダイレクション通知を旧トンネルに対応するIWSに送信し、したがって、旧トンネルに対応するIWSは、現在実行中のシグナリング交信を終了して、それによって、トンネルリダイレクション後の資源の浪費を避ける。加えて、旧トンネルに対応するIWSは、トンネルリダイレクション通知を受信後、新トンネルに対応するIWSまたはMMEにシグナリング転送指示を送信し、したがって、新トンネルに対応するIWSまたはMMEは、受信したシグナリングを旧トンネルに対応するIWSに転送して、それによって、トンネルリダイレクション後のシグナリング交信の中断を避ける。
【００１３】
本発明の実施形態における技術的解決策をより明確に説明するために、以下に、本発明の実施形態の説明に必要な添付図面を簡単に紹介する。以下の説明における添付図面は、本発明のいくつかの実施形態を単に示すだけであり、さらに当業者が創造的取組みをせずに添付図面から他の図面を導き出すこともできることが明らかであろう。
【図面の簡単な説明】
【００１４】
【図１】本発明の実施形態1による回線交換フォールバックネットワーキング構造の概略図である。
【図２】本発明の実施形態1によるトンネルリダイレクション方法の流れ図である。
【図３】本発明の実施形態2によるトンネルリダイレクションの概略図である。
【図４】本発明の実施形態2によるトンネルリダイレクション方法の流れ図である。
【図５】本発明の実施形態3によるトンネルリダイレクション方法の流れ図である。
【図６】本発明の実施形態4によるトンネルリダイレクション方法の流れ図である。
【図７】本発明の実施形態5によるトンネルリダイレクション方法の流れ図である。
【図８】本発明の実施形態6によるトンネルリダイレクション方法の流れ図である。
【図９】本発明の実施形態7によるインターワーキング機能エンティティの概略構造図である。
【図１０】本発明の実施形態7による別のインターワーキング機能エンティティの概略構造図である。
【図１１】本発明の実施形態8によるインターワーキング機能エンティティの概略構造図である。
【図１２】本発明の実施形態8による別のインターワーキング機能エンティティの概略構造図である。
【発明を実施するための形態】
【００１５】
本発明の目的、技術的解決策および利点をより明確にするために、添付図面を参照しながら以下に本発明の実施形態を詳細に説明する。
【００１６】
［実施形態1］
まず、図1に示す回線交換フォールバックネットワーキング構造の概略図を参照する。UEがLTEネットワークのカバレッジエリア内に位置するとき、UEはLTEネットワークにキャンプオンし、もはやCDMA信号を監視しない。このとき、UEがCDMA 1Xネットワークで音声サービスを利用する必要がある場合、UEはLTEネットワークからCDMA 1Xネットワークにフォールバックする必要がある。図1に示すように、CSFB(CS Fallback、CSフォールバック)が可能なUEは、LTEにキャンプオンしているとき、1x回線交換ドメインで1xネットワークアクセスを使用して音声通話を確立するために、S102トンネルを経由してCSドメインで事前登録を実行することができる。このとき、UEから1xRTT(1x Radio Transmission Technology、1x無線伝送技術) MSC(Mobile Services switching Center、移動通信交換局)に送信されるシグナリングは、順に、E-UTRAN(Evolved UMTS Terrestrial Radio Access Network、進化型UMTS地上波無線アクセスネットワーク)、MME、1x CS IWSを経由して1xRTT MSCに到達し、1xRTT MSCからUEに送信されるシグナリングは、逆方向パスを伝わる。UEと1xRTT MSCとの間のシグナリング交信用のパスを、図1に点線で示す。S102インターフェースは、3GPP2(3rd Generation Partnership Project 2、第3世代パートナーシッププロジェクト2) 1xCSシグナリングメッセージを転送するために、MMEと3GPP2 1xCS IWSとの間にトンネルを提供する。S11は、MMEとサービングGW(Serving Gateway、サービングゲートウェイ)またはPDN GW(Packet Data Network Gateway、パケットデータネットワークゲートウェイ)との間のインターフェースであり、S1-Uは、E-UTRANとサービングGW/ PDN GWとの間のインターフェースであり、S1-MMEは、E-UTRANとMMEとの間のインターフェースである。
【００１７】
図1に示す回線交換フォールバックネットワーキング構造に対応して、実施形態は、トンネルリダイレクション方法を提供する。この方法は、旧トンネル(original tunnel)に対応するIWSがトンネルリダイレクション後さらにシグナリング交信を要求する状況において、どのようにトンネルをリダイレクションするかについて対処する。具体的には、図2に示して、この方法のプロセスを以下に述べる。
【００１８】
201:旧トンネルに対応するIWSが、新トンネル(new tunnel)に対応するIWSまたはMMEによって送信されたトンネルリダイレクション通知を受信する。
【００１９】
202:トンネルリダイレクション通知に従って新トンネルに対応するIWSまたはMMEにシグナリング転送指示を送信する。
【００２０】
203:シグナリング転送指示に従って新トンネルに対応するIWSまたはMMEによって転送されたシグナリングを受信する。
【００２１】
この実施形態および後続の実施形態では、トンネルリダイレクション前に対応するトンネルを旧トンネルと記し、トンネルリダイレクション後に対応するトンネルを新トンネルと記す。
【００２２】
さらに、シグナリング転送指示に従って、新トンネルに対応するIWSまたはMMEによって転送されたシグナリングを受信するステップが、具体的には、シグナリング転送停止指示が新トンネルに対応するIWSまたはMMEに返信されるまで、新トンネルに対応するIWSまたはMMEによって転送されたシグナリングを受信するステップであって、シグナリング転送停止指示が、新トンネルに対応するIWSまたはMMEにシグナリングの転送を停止するように指令するステップを含む。
【００２３】
あるいは、シグナリング転送指示に従って、新トンネルに対応するIWSまたはMMEによって転送されたシグナリングを受信するステップが、具体的には、プリセット期間内、新トンネルに対応するIWSまたはMMEによって転送されたシグナリングを受信するステップと、MMEまたは新トンネルに対応するIWSが、プリセット期間後、シグナリングの転送を停止するステップとを含む。
【００２４】
プリセット期間は、プリセットされ、または旧トンネルに対応するIWSと新トンネルに対応するIWSまたはMMEとの間で一時的にネゴシエーションされる。
【００２５】
好ましくは、新トンネルに対応するIWSまたはMMEがシグナリングの転送を停止した後、旧トンネルに対応するIWSが旧トンネルの資源を解放する。
【００２６】
具体的には、旧トンネルに対応するIWSがMMEによって送信されたトンネルリダイレクション通知を受信するステップが、旧トンネルに対応するIWSがMMEによって送信されたトンネルリダイレクション通知を受信するステップであって、MMEがトンネルのリダイレクションをする必要があると判定した後、トンネルリダイレクション通知が送信されるステップを含む。
【００２７】
あるいは、旧トンネルに対応するIWSが、新トンネルに対応するIWSによって送信されたトンネルリダイレクション通知を受信するステップが、旧トンネルに対応するIWSが、旧トンネルに対応するIWSの識別子に従って新トンネルに対応するIWSによって送信されたトンネルリダイレクション通知を受信するステップであって、MMEがトンネルのリダイレクションをする必要があると判定した後、旧トンネルに対応するIWSの識別子がMMEによって新トンネルに対応するIWSに送信されるステップを含む。
【００２８】
この実施形態で提供される方法を用いて、トンネルリダイレクション後、新トンネルに対応するIWSまたはMMEが、トンネルリダイレクション通知を旧トンネルに対応するIWSに送信し、したがって、旧トンネルに対応するIWSは、トンネルリダイレクション通知を受信した後、新トンネルに対応するIWSまたはMMEにシグナリング転送指示を送信し、そこでシグナリング転送指示が、新トンネルに対応するIWSまたはMMEに、受信したシグナリングを旧トンネルに対応するIWSに転送するように指令し、それによって、トンネルリダイレクション後のシグナリング交信の中断を避ける。
【００２９】
［実施形態2］
この実施形態では、トンネルリダイレクション方法を提供する。実際のネットワーキングでは、1xCS IWSが、エリアにサービスを提供し、MMEが、eNBが構成した参照セル識別子パラメータであるReference Cell IDに従って、適切な1xCS IWSを選択する。MME上で、各Reference Cell IDを対応するIWSにマッピングする。この実施形態では、実施形態1に基づいて、図3に示すトンネルリダイレクションの概略図を参照しながら、トンネルリダイレクション方法を詳細に説明する。
【００３０】
図3で、S1接続は、eNB1とMMEとの間およびeNB2とMMEとの間にある。Reference Cell ID1を、eNB1が構成し1xCS IWS1にマッピングし、Reference Cell ID2を、eNB2が構成し1xCS IWS2にマッピングすると仮定する。1xCS IWS1がトンネルリダイレクション通知を受信した後、シグナリング交信が1xCS IWS1とUEとの間でさらに要求される状況に対して、この実施形態では解決策を開示する。具体的には、図4に示して、この実施形態で提供される方法のプロセスを以下に述べる。
【００３１】
401:eNB1にキャンプオンするUEは、1xシステムに向かう1xシグナリングをMMEに送信する。
【００３２】
402:MMEが、eNB1が構成した参照セル識別子に従って、UE用にIWS1へのS102トンネルを確立し、UEから送信された1xシグナリングをIWS1に転送する。
【００３３】
403:UEが、eNB2に移動しキャンプオンした後、1xシステムに向かう1xシグナリングをMMEに送信する。
【００３４】
404: MMEが、eNB2が構成した参照セル識別子に従って、トンネルのリダイレクションをする必要があると判定する。
【００３５】
405:MMEがトンネルリダイレクション通知をIWS1に送信する。
【００３６】
406:IWS1が、トンネルリダイレクション通知を受信した後、シグナリング転送指示をMMEに送信する。
【００３７】
このステップでは、IWS1は、このとき旧トンネルに対応するエンティティであり、MMEは、新トンネルに対応するエンティティとしてみなすことができる。IWS1は、トンネルリダイレクション通知を受信した後、UEとのシグナリング交信がまだ要求されていると判定し、したがって、シグナリング転送指示をMMEに送信し、すなわち、MMEに対して強制的にUEから送信されたシグナリングをIWS1へと転送させて、それによって、シグナリング交信の中断を避ける。この実施形態では、IWS1が、シグナリング転送指示をMMEにどのように送信するかについて限定しない。例えば、IWS1は、シグナリング転送指示を送信するために専用のメッセージを使用してよく、またはシグナリング転送指示を伝えるために既存のメッセージに追加した新しいフラグビットを使用してもよい。
【００３８】
407:MMEが、シグナリング転送指示に従って受信したシグナリングをIWS1に転送する。
【００３９】
具体的には、MMEは、IWS1によって送信されたシグナリング転送指示を受信したので、トンネルのリダイレクションをする必要があると判定した場合でも、UEから送信された1xシグナリングをIWS1にさらに転送する。
【００４０】
この実施形態では、MMEがシグナリングをどのように転送するかについて限定しない。実際の用途では、IWS1は、MMEによって転送されたシグナリングを受信した後、MMEが転送を停止するように、シグナリング転送停止指示をMMEに送信することができる。したがって、MMEは、IWS1からシグナリング転送停止指示を受信するまで、シグナリング転送指示に従って受信したシグナリングをIWS1に転送する。
【００４１】
あるいは、MMEは、シグナリング転送指示に従って、プリセット期間内、旧トンネルに対応するエンティティに受信したシグナリングを転送することができ、プリセット期間後、シグナリングの転送を停止することもできる。プリセット期間を、プリセットしてよく、またはIWS1とMMEとの間で一時的にネゴシエーションしてもよい。この実施形態では、プリセット期間の値について限定しない。
【００４２】
この実施形態で提供される方法を用いて、MMEは、資源を節約するために、シグナリングの転送を停止するようにトリガーされたとしても、シグナリングの転送を停止した後トンネルをIWS2へとリダイレクションし、その後、UEに関連するすべての1xシグナリングが、新トンネルを経由して伝送され、IWS1は、旧トンネルの資源を解放することができる。
【００４３】
この実施形態で提供される方法を用いて、トンネルリダイレクション後、MMEは、トンネルリダイレクション通知を旧トンネルに対応するIWSに送信し、したがって、旧トンネルに対応するIWSは、トンネルリダイレクション通知を受信した後、シグナリング転送指示をMMEに送信し、MMEは、受信したシグナリングを旧トンネルに対応するIWSに転送して、それによって、トンネルリダイレクション後のシグナリング交信の中断を避ける。
【００４４】
［実施形態3］
この実施形態では、トンネルリダイレクション方法を提供する。さらに、図3に示すトンネルリダイレクションを本明細書の一例として挙げる。実施形態2で説明したように、MMEはトンネルリダイレクション通知を旧トンネルに対応するIWS1にさらに送信することができ、また、この実施形態で提供される方法は、新トンネルに対応するIWS2によってIWS1に送信されるトンネルリダイレクション通知をサポートする。図5に示すように、IWS1がIWS2によって送信されたトンネルリダイレクション通知を受信した後、シグナリング交信がIWS1とUEとの間でさらに要求される状況に対して、この実施形態で提供される方法のプロセスを以下に述べる。
【００４５】
501:eNB1にキャンプオンするUEが、1xシステムに向かう1xシグナリングをMMEに送信する。
【００４６】
502: MMEが、eNB1が構成した参照セル識別子に従って、UE用にIWS1へのS102トンネルを確立し、UEから送信された1xシグナリングをIWS1に転送する。
【００４７】
503:UEが、eNB2に移動しキャンプオンした後、1xシステムに向かう1xシグナリングをMMEに送信する。
【００４８】
504: MMEが、eNB2が構成した参照セル識別子に従って、トンネルのリダイレクションをする必要があると判定する。
【００４９】
505:MMEが、UE用にIWS2へのトンネルを確立し、IWS1の識別子をIWS2に送信する。
【００５０】
このステップでは、MMEは、eNB2が構成した参照セル識別子に従って、トンネルのリダイレクションをする必要があると判定した後、UE用にIWS2へのS102トンネルを確立し、IWS2がIWS1とのシグナリング交信を実行するため、かつIWS2がトンネルリダイレクションをIWS1に通知するために、MMEは、IWS1の識別子をIWS2に送信する。
【００５１】
506:IWS2がトンネルリダイレクション通知をIWS1に送信する。
【００５２】
具体的には、IWS1の識別子をMMEから受信した後、IWS2は、MMEがS102トンネルをIWS1からIWS2にリダイレクションしたことを認知し、したがって、IWS2は、トンネルリダイレクションをIWS1に通知するためにIWS1に指示を送信することができる。この実施形態では、IWS2が、トンネルリダイレクション通知をIWS1にどのように送信するかについて限定しない。例えば、IWS2は、トンネルリダイレクション通知を送信するために専用のメッセージを使用してよく、またはトンネルリダイレクション通知を伝えるために既存のメッセージに追加した新しいフラグビットを使用してもよい。
【００５３】
507:IWS1が、IWS2によって送信されたトンネルリダイレクション通知を受信した後、シグナリング転送指示をIWS2に送信する。
【００５４】
このステップでは、IWS1はこのとき旧トンネルに対応するエンティティである。IWS1は、新トンネルに対応するIWS2によって送信されたトンネルリダイレクション通知を受信した後、UEとのシグナリング交信がさらに要求されていると判定し、したがって、シグナリング転送指示をIWS2に送信し、すなわち、IWS2に対して強制的にUEから送信されたシグナリングをIWS1へと転送させて、それによって、シグナリング交信の中断を避ける。この実施形態では、IWS1が、シグナリング転送指示をIWS2にどのように送信するかについて限定しない。例えば、IWS1は、シグナリング転送指示を送信するために専用のメッセージを使用してよく、または既存のメッセージに新しいフラグビットを追加してもよく、したがって、シグナリング転送指示を送信するために既存のメッセージを利用できる。
【００５５】
508:IWS2が、シグナリング転送指示に従って、受信したシグナリングをIWS1に転送する。
【００５６】
具体的には、IWS2は、IWS1によって送信されたシグナリング転送指示を受信したので、UEから送信されMMEが転送した1xシグナリングを受信した場合でも、UEから送信された1xシグナリングをIWS1にさらに転送する。
【００５７】
この実施形態では、IWS2が、シグナリングをどのように転送するかについて限定しない。実際の用途では、IWS1は、IWS2によって転送されたシグナリングを受信した後、IWS2が転送を停止するように、シグナリング転送停止指示をIWS2に送信することができる。したがって、IWS2は、IWS1からシグナリング転送停止指示を受信するまで、シグナリング転送指示に従って受信したシグナリングをIWS1に転送し、その後、シグナリングの転送が停止し、受信したシグナリングは対応するMSCに転送される。
【００５８】
あるいは、IWS2は、シグナリング転送指示に従って、プリセット期間内、旧トンネルに対応するエンティティに受信したシグナリングを転送することもでき、プリセット期間後、シグナリングの転送を停止し、受信したシグナリングを対応するMSCに送信することもできる。プリセット期間を、プリセットしてよく、またはIWS1とIWS2との間で一時的にネゴシエーションしてもよい。この実施形態では、プリセット期間の値について限定しない。
【００５９】
この実施形態で提供される方法を用いて、IWS2は、資源を節約するために、シグナリングの転送を停止するようにトリガーされたとしても、IWS2がシグナリングの転送を停止した後、IWS1は旧トンネルの資源の解放を選択することができる。
【００６０】
この実施形態で提供される方法を用いて、トンネルリダイレクション後、新トンネルに対応するIWSは、トンネルリダイレクション通知を旧トンネルに対応するIWSに送信し、したがって、旧トンネルに対応するIWSは、トンネルリダイレクション通知を受信した後、シグナリング転送指示を新トンネルに対応するIWSに送信し、新トンネルに対応するIWSは、受信したシグナリングを旧トンネルに対応するIWSに転送して、それによって、トンネルリダイレクション後のシグナリング交信の中断を避ける。
【００６１】
［実施形態4］
この実施形態では、トンネルリダイレクション方法を提供する。この方法は、旧トンネルに対応するIWSが、トンネルリダイレクション後、前もって現在実行中のシグナリング交信を終了する状況において、どのようにトンネルをリダイレクションするかについて対処する。具体的には、図6に示し、この方法のプロセスを以下に述べる。
【００６２】
601:旧トンネルに対応するIWSが、新トンネルに対応するIWSまたはMMEによって送信されたトンネルリダイレクション通知を受信する。
【００６３】
602:トンネルリダイレクション通知に従って、現在実行中のシグナリング交信を終了する。
【００６４】
この実施形態および後続の実施形態における現在実行中のシグナリング交信とは、旧トンネルに対応するIWSが、登録プロセス、ショートメッセージの受信プロセスまたは送信プロセス、音声通話発信プロセス、音声通話終了プロセス他など通信場面の状態であるということを意味する。この実施形態では、現在実行中のシグナリング交信の通信場面について限定しない。
【００６５】
好ましくは、この方法は、トンネルリダイレクション通知に従って現在実行中のシグナリング交信を終了後、旧トンネルの資源を解放するステップをさらに含む。
【００６６】
具体的には、旧トンネルに対応するIWSが、MMEによって送信されたトンネルリダイレクション通知を受信するステップが、旧トンネルに対応するIWSがMMEによって送信されたトンネルリダイレクション通知を受信するステップであって、MMEがトンネルのリダイレクションをする必要があると判定した後、トンネルリダイレクション通知が送信されるステップを含む。
【００６７】
あるいは、旧トンネルに対応するIWSが新トンネルに対応するIWSによって送信されたトンネルリダイレクション通知を受信するステップが、旧トンネルに対応するIWSの識別子に従って、旧トンネルに対応するIWSが、新トンネルに対応するIWSによって送信されたトンネルリダイレクション通知を受信するステップを含み、そこでMMEがトンネルのリダイレクションをする必要があると判定した後、旧トンネルに対応するIWSの識別子がMMEによって新トンネルに対応するIWSに送信される。
【００６８】
この実施形態で提供される方法を用いて、トンネルリダイレクション後、新トンネルに対応するIWSまたはMMEが、トンネルリダイレクション通知を旧トンネルに対応するIWSに送信し、したがって、旧トンネルに対応するIWSは、現在実行中のシグナリング交信を終了して、それによって、トンネルリダイレクション後、効果的に資源の浪費を避ける。
【００６９】
［実施形態5］
この実施形態では、トンネルリダイレクション方法を提供する。さらに、図3に示すリダイレクションの概略図を一例として挙げる。トンネルリダイレクション後の資源の浪費を避けるために、MMEは、転送されたUEの1xメッセージの行き先IWSが以前に転送された1xメッセージの行き先IWSと異なることが分かると、以前に1xメッセージを転送した行き先IWSに、UEの上りリンク1xメッセージを別のIWSに転送することを通知する。具体的には、図7に示し、この実施形態で提供される方法のプロセスを以下に述べる。
【００７０】
701:eNB1にキャンプオンするUEが、1xシステムに向かう1xシグナリングをMMEに送信する。
【００７１】
Reference Cell ID1パラメータを、eNB1が構成し、MME内でIWS1にマッピングする。
【００７２】
702: MMEが、eNB1が構成した参照セル識別子に従って、UE用にIWS1へのS102トンネルを確立し、UEから送信された1xシグナリングをIWS1に転送する。
【００７３】
703:UEが、eNB2に移動しキャンプオンした後、1xシステムに向かう1xシグナリングをMMEに送信する。
【００７４】
Reference Cell ID2パラメータを、eNB2が構成し、MME内でIWS2にマッピングする。
【００７５】
704: MMEが、eNB2が構成した参照セル識別子に従って、トンネルのリダイレクションをする必要があると判定する。
【００７６】
このステップでは、UEから送信された各1xメッセージは、対応するeNBを経由してMMEに送信される。別々のUEから送信された1xメッセージを区別するために、対応するUEの識別子を各メッセージ中に含め運ぶ。したがって、MMEが、eNB2によってサービングされている同一のUEから送信された1xメッセージを受信した後、eNB2が構成したReference Cell ID2パラメータは、以前転送した行き先IWS1と異なるIWS2にMME内でマッピングされるので、MMEは、eNB2が構成した参照セル識別子に従って、UEのトンネルのリダイレクションをする必要があると判定することができる。
【００７７】
705:MMEがトンネルリダイレクション通知をIWS1に送信する。
【００７８】
具体的には、MMEは、トンネルのリダイレクションをする必要があると判定した後、S102のトンネルリダイレクション通知を旧トンネルに対応するIWS1に送信するために専用のメッセージを使用してよく、またはS102のトンネルリダイレクション通知を伝えるために既存のメッセージに追加した新しいフラグビットを使用してもよい。この実施形態では、MMEが、トンネルリダイレクション通知をIWS1にどのように送信するかについて限定しない。
【００７９】
706:IWS1が、トンネルリダイレクション通知に従って現在実行中のシグナリング交信を終了する。
【００８０】
このステップでは、IWS1の現在実行中のシグナリング交信には、起こり得るUEとのシグナリング交信および/またはMSCとのシグナリング交信などが含まれるがこれに限定しない。旧トンネルに対応するIWS1は、MMEによって送信されたS102のトンネルリダイレクション通知を受信した後、MMEがUEの1xシグナリングを別のIWSに転送することを認知する。したがって、IWS1が、MSCとのシグナリング交信を現在実行中である場合、前もってMSCとのシグナリング交信の終了を選択できる。IWS1が、UEとのシグナリング交信を現在実行中である場合、前もってUEとのシグナリング交信の終了を選択できる。IWS1が、UEとMSC両方とのシグナリング交信を現在実行中である場合、シグナリング交信を停止しないために生じる資源の浪費を避けるために、起こり得るUEとのシグナリング交信およびMSCとのシグナリング交信を同時に終了することができる。
【００８１】
好ましくは、さらに資源を節約するために、現在実行中のシグナリング交信を停止した後、IWS1は、現在実行中のシグナリング交信を終了した後旧トンネルの資源を解放することができる。
【００８２】
IWS1は、UEへのRelease Orderメッセージの送信またはMSCへのClear requestメッセージの送信などによって、前もってシグナリングプロセスを終了することができる。この実施形態では、シグナリングプロセスをどのように終了するかについて限定せず、IWS1がトンネル資源をいつ解放するかについても限定しない。
【００８３】
あるいは、現在実行中のシグナリング交信プロセスを前もって終了する前または後に、IWS1は、シグナリング非転送指示をMMEに送信することができ、したがって、MMEは、UEから送信されたシグナリングをIWS1にこれ以上転送する必要はない、ただし受信したシグナリングを新トンネルに対応するIWS2に直接送信し、その後UEに関連するすべての1xシグナリングは、新トンネルを経由して伝送される。
【００８４】
この実施形態で提供された方法を用いて、トンネルリダイレクション後、MMEは、トンネルリダイレクション通知を旧トンネルに対応するIWSに送信し、したがって、旧トンネルに対応するIWSは、現在実行中のシグナリング交信を終了し、さらに旧トンネルの資源の解放を選択して、それによって、効果的にトンネルリダイレクション後の資源の浪費を避けることができる。
【００８５】
［実施形態6］
この実施形態では、トンネルリダイレクション方法を提供する。さらに、図3に示すトンネルリダイレクションを本明細書の一例として挙げる。トンネルリダイレクション通知は、実施形態5で説明したように、MMEから旧トンネルに対応するIWS1にさらに送信することができ、また、この実施形態で提供される方法は、新トンネルに対応するIWS2によってIWS1に送信されるトンネルリダイレクション通知をサポートする。具体的には、図8に示し、この実施形態で提供される方法のプロセスを以下に述べる。
【００８６】
801:eNB1にキャンプオンするUEが、1xシステムに向かう1xシグナリングをMMEに送信する。
【００８７】
802: MMEが、eNB1が構成した参照セル識別子に従って、UE用にIWS1へのS102トンネルを確立し、UEから送信された1xシグナリングをIWS1に転送する。
【００８８】
803: UEが、eNB2に移動しキャンプオンした後、1xシステムに向かう1xシグナリングをMMEに送信する。
【００８９】
804: MMEが、eNB2が構成した参照セル識別子に従って、トンネルのリダイレクションをする必要があると判定する。
【００９０】
ステップ801からステップ804は、実施形態5のステップ701からステップ704についての説明と同じである。この実施形態で提供された方法は、MMEがトンネルのリダイレクションをする必要があると判定した後、MMEではなく新トンネルに対応するIWS2がトンネルリダイレクションをIWS1に通知するという点で、実施形態5と異なる。詳しくは、後続のステップを参照することができる。
【００９１】
805:MMEが、UE用にIWS2へのトンネルを確立し、IWS1の識別子をIWS2に送信する。
【００９２】
このステップでは、MMEは、eNB2が構成した参照セル識別子に従って、トンネルのリダイレクションをする必要があると判定した後、UE用にIWS2へのS102トンネルを確立し、IWS2がIWS1とのシグナリング交信を実行するため、またIWS2がトンネルリダイレクションをIWS1に通知するために、MMEはIWS1の識別子をIWS2に送信する。
【００９３】
806:IWS2がトンネルリダイレクション通知をIWS1に送信する。
【００９４】
具体的には、IWS2は、MMEからIWS1の識別子を受信した後、MMEがIWS1からIWS2へとS102トンネルをリダイレクションしたことを認知し、したがって、IWS2は、IWS1にトンネルリダイレクションを通知するためにIWS1に指示を送信することができる。この実施形態では、IWS2が、IWS1にトンネルリダイレクション通知をどのように送信するかについて限定しない。例えば、IWS2は、トンネルリダイレクション通知を送信するために専用のメッセージを使用してよく、またはトンネルリダイレクション通知を伝えるために既存のメッセージに追加した新しいフラグビットを使用してもよい。
【００９５】
807:IWS1が、IWS2によって送信されたトンネルリダイレクション通知を受信した後、現在実行中のシグナリング交信を終了する。
【００９６】
IWS1の現在実行中のシグナリング交信には、UEとのシグナリング交信および/またはMSCとのシグナリング交信などが含まれるがこれに限定しない。
【００９７】
このステップでは、IWS1が、IWS2によって送信されたトンネルリダイレクション通知を受信した後、UEとのシグナリング交信を現在実行中である場合、前もってUEとのシグナリング交信の終了を選択できる。IWS1が、MSCとのシグナリング交信を現在実行中である場合、前もってMSCとのシグナリング交信の終了を選択できる。IWS1が、UEとMSC両方とのシグナリング交信を現在実行中である場合、起こり得るUEとのシグナリング交信およびMSCとのシグナリング交信を同時に終了することができる。このシグナリング交信プロセスは、UEへのRelease Orderメッセージの送信またはMSCへのClear requestメッセージの送信などによって、前もって終了することができる。この実施形態では、IWS1が、シグナリング交信をどのようにいつ終了するかについて限定しない。
【００９８】
好ましくは、さらに資源を節約するために、IWS1が、現在実行中のシグナリング交信を終了した後、旧トンネルの資源を解放することができる。
【００９９】
あるいは、現在実行中のシグナリング交信プロセスを前もって終了する前または後に、IWS1はシグナリング非転送指示をIWS2に送信することができ、したがって、IWS2は、UEから送信されたシグナリングをIWS1にこれ以上転送する必要はない、ただし受信したシグナリングを対応するMSCに直接送信する。
【０１００】
この実施形態で提供される方法を用いて、トンネルリダイレクション後、新トンネルに対応するIWSが、トンネルリダイレクション通知を旧トンネルに対応するIWSに送信し、したがって、旧トンネルに対応するIWSは、現在実行中のシグナリング交信を終了し、さらに旧トンネルの資源の解放を選択して、それによって、効果的にトンネルリダイレクション後の資源の浪費を避けることができる。
【０１０１】
［実施形態7］
この実施形態では、インターワーキング機能エンティティを提供する。図9に示すように、このエンティティは、MMEまたは新トンネルに対応するインターワーキング機能エンティティIWSによって送信されたトンネルリダイレクション通知を受信するように構成された第1の受信モジュール901と、第1の受信モジュール901が受信したトンネルリダイレクション通知に従って、シグナリング転送指示を新トンネルに対応するIWSまたはMMEに送信するように構成された送信モジュール902と、送信モジュール902が送信したシグナリング転送指示に従って、新トンネルに対応するIWSまたはMMEによって転送されたシグナリングを受信するように構成された第2の受信モジュール903とを含む。
【０１０２】
第2の受信モジュール903は、具体的には、シグナリング転送停止指示が新トンネルに対応するIWSまたはMMEに返信されるまで、新トンネルに対応するIWSまたはMMEによって転送されたシグナリングを受信するように構成され、そこでシグナリング転送停止指示が新トンネルに対応するIWSまたはMMEにシグナリングの転送を停止するように指令する。
【０１０３】
あるいは、第2の受信モジュール903は、具体的には、プリセット期間内、新トンネルに対応するIWSまたはMMEによって転送されたシグナリングを受信し、新トンネルに対応するIWSまたはMMEが、プリセット期間後、シグナリングの転送を停止するように構成される。
【０１０４】
プリセット期間は、プリセットされ、またはこの実施形態で提供されるIWSと新トンネルに対応するIWSまたはMMEとの間で一時的にネゴシエーションされる。
【０１０５】
図10に示すように、このエンティティは、現在実行中のシグナリング交信を終了した後、旧トンネルの資源を解放するように構成された解放モジュール904をさらに含む。
【０１０６】
この実施形態で提供されるエンティティを用いて、トンネルリダイレクション後、トンネルリダイレクション通知をMMEまたは新トンネルに対応するエンティティから受信し、トンネルリダイレクション通知に従って、シグナリング転送指示をMMEまたは新トンネルに対応するエンティティに送信し、したがって、新トンネルに対応するIWSまたはMMEは、受信したシグナリングをこのエンティティに転送して、それによって、トンネルリダイレクション後のシグナリング交信の中断を避ける。
【０１０７】
［実施形態8］
この実施形態では、インターワーキング機能エンティティを提供する。図11に示すように、このエンティティは、新トンネルに対応するIWSまたはMMEによって送信されたトンネルリダイレクション通知を受信するように構成された受信モジュール1101と、受信モジュール1101が受信したトンネルリダイレクション通知に従って、現在実行中のシグナリング交信を終了するように構成されたプロセッシングモジュール1102とを含む。
【０１０８】
好ましくは、図12に示すように、このエンティティは、プロセッシングモジュール1102が現在実行中のシグナリング交信を終了した後、旧トンネルの資源を解放するように構成された解放モジュール1103をさらに含む。
【０１０９】
この実施形態で提供されるエンティティを用いて、トンネルリダイレクション通知を新トンネルに対応するIWSまたはMMEから受信した後、現在実行中のシグナリング交信を終了し、さらに、旧トンネルの資源を解放することができ、それによって、効果的にトンネルリダイレクション後の資源の浪費を避けることができる。
【０１１０】
前述の実施形態で提供されるインターワーキング機能エンティティでトンネルリダイレクションが行われるとき、前述の機能モジュールの区分は単に例として挙げたことに留意されたい。実際の用途では、前述の機能は、必要に応じて別々の機能モジュールが受け持つことができ、すなわち、エンティティの内部構成は、上述の機能の全部または一部を実施するために別々の機能モジュールに分割される。加えて、前述の実施形態で提供されるインターワーキング機能エンティティおよびトンネルリダイレクション方法の実施形態は、同じ概念に基づいている。エンティティの詳細な実施プロセスについては、この方法の実施形態を参照することができる。
【０１１１】
本発明の実施形態の連続番号は、説明を簡単にするためだけのものであり、実施形態の優先順位を示すものではない。本発明の実施形態のステップのうち全部または一部は、プログラムによって指示されるハードウェアまたは関連のハードウェアによって実施することができる。このプログラムは、光ディスク、ハードディスクなどの読取り可能記憶媒体に格納することができる。
【０１１２】
以上の説明は、本発明の実施形態を単に例として示しただけであり、本発明を限定する意図はない。本発明の趣旨および原理に含まれるいずれの変更、均等な置換え、改良は、本発明の保護範囲に含まれるものとする。
【符号の説明】
【０１１３】
901  第1の受信モジュール
902  送信モジュール
903  第2の受信モジュール
904  解放モジュール
1101  受信モジュール
1102  プロセッシングモジュール
1103  解放モジュール
【図１】
2013546278.tif 000003
【図２】
2013546278.tif 000004
【図３】
2013546278.tif 000005
【図４】
2013546278.tif 000006
【図５】
2013546278.tif 000007
【図６】
2013546278.tif 000008
【図７】
2013546278.tif 000009
【図８】
2013546278.tif 000010
【図９】
2013546278.tif 000011
【図１０】
2013546278.tif 000012
【図１１】
2013546278.tif 000013
【図１２】
2013546278.tif 000014
【手続補正書】
【提出日】平成25年7月8日(2013.7.8)
【手続補正１】
【補正対象書類名】特許請求の範囲
【補正対象項目名】全文
【補正方法】変更
【補正の内容】
【特許請求の範囲】
【請求項１】
旧トンネルに対応するインターワーキングソリューション(IWS)機能エンティティが、新トンネルに対応するIWSまたは移動管理エンティティ(MME)によって送信されたトンネルリダイレクション通知を受信するステップと、
前記旧トンネルに対応する前記IWSが、前記通知に従って、前記新トンネルに対応する前記IWSまたは前記MMEにシグナリング転送指示を送信するステップと、
前記旧トンネルに対応する前記IWSが、前記シグナリング転送指示に従って、前記新トンネルに対応する前記IWSまたは前記MMEによって転送されたシグナリングを受信するステップと、
を含むことを特徴とするトンネルリダイレクション方法。
【請求項２】
前記旧トンネルに対応する前記IWSが、前記シグナリング転送指示に従って、前記新トンネルに対応する前記IWSまたは前記MMEによって転送されたシグナリングを前記受信するステップが、具体的には、
シグナリング転送停止指示が前記新トンネルに対応する前記IWSまたは前記MMEに返信されるまで、前記旧トンネルに対応する前記IWSが、前記新トンネルに対応する前記IWSまたは前記MMEによって転送された前記シグナリングを受信するステップを含み、
前記指示は、前記新トンネルに対応する前記IWSまたは前記MMEにシグナリングの転送を停止するように指令することを特徴とする請求項1に記載の方法。
【請求項３】
前記旧トンネルに対応する前記IWSが、前記シグナリング転送指示に従って、前記新トンネルに対応する前記IWSまたは前記MMEによって転送されたシグナリングを前記受信するステップが、具体的には、
前記旧トンネルに対応する前記IWSが、プリセット期間内、前記新トンネルに対応する前記IWSまたは前記MMEによって転送された前記シグナリングを受信するステップを具備し、
前記MMEまたは前記新トンネルに対応する前記IWSは、前記プリセット期間後、シグナリングの転送を停止することを特徴とする請求項1に記載の方法。
【請求項４】
前記プリセット期間が、プリセットされるか、または前記旧トンネルに対応する前記IWSと前記新トンネルに対応する前記IWSまたは前記MMEとの間で一時的にネゴシエーションされることを特徴とする請求項3に記載の方法。
【請求項５】
前記新トンネルに対応する前記IWSまたは前記MMEがシグナリングの転送を停止した後、前記旧トンネルに対応する前記IWSが前記旧トンネルの資源を解放するステップをさらに含むことを特徴とする請求項2または3に記載の方法。
【請求項６】
旧トンネルに対応するインターワーキング機能エンティティIWSが移動管理エンティティMMEによって送信されたトンネルリダイレクション通知を前記受信するステップが、具体的には、
前記旧トンネルに対応する前記IWSが前記MMEによって送信された前記トンネルリダイレクション通知を受信するステップを含み、
前記MMEがトンネルのリダイレクションをする必要があると判定した後、前記通知が送信されることを特徴とする請求項1に記載の方法。
【請求項７】
旧トンネルに対応するインターワーキング機能エンティティIWSが、新トンネルに対応するIWSによって送信されたトンネルリダイレクション通知を前記受信するステップが、具体的には、
前記旧トンネルに対応する前記IWSが、前記旧トンネルに対応する前記IWSの識別子に従って前記新トンネルに対応する前記IWSによって送信された前記トンネルリダイレクション通知を受信するステップを具備し、
前記MMEがトンネルのリダイレクションをする必要があると判定した後、前記旧トンネルに対応する前記IWSの前記識別子が、前記MMEによって前記新トンネルに対応する前記IWSに送信されることを特徴とする請求項1に記載の方法。
【請求項８】
新トンネルに対応するインターワーキングソリューション(IWS)機能エンティティまたは移動管理エンティティ(MME)によって送信されたトンネルリダイレクション通知を受信するように構成された第1の受信モジュールと、
前記第1の受信モジュールが受信した前記トンネルリダイレクション通知に従って、前記新トンネルに対応する前記IWSまたは前記MMEにシグナリング転送指示を送信するように構成された送信モジュールと、
前記送信モジュールが送信した前記シグナリング転送指示に従って、前記新トンネルに対応する前記IWSまたは前記MMEによって転送されたシグナリングを受信するように構成された第2の受信モジュールと、
を含むことを特徴とするインターワーキング機能エンティティ。
【請求項９】
前記第2の受信モジュールが、具体的には、シグナリング転送停止指示が前記新トンネルに対応する前記IWSまたは前記MMEに返信されるまで、前記新トンネルに対応する前記IWSまたは前記MMEによって転送された前記シグナリングを受信するように構成され、
前記指示は、前記新トンネルに対応する前記IWSまたは前記MMEにシグナリングの転送を停止するように指令することを特徴とする請求項8に記載のエンティティ。
【請求項１０】
前記第2の受信モジュールが、具体的には、プリセット期間内、前記新トンネルに対応する前記IWSまたは前記MMEによって転送された前記シグナリングを受信するように構成されたことを特徴とする請求項8に記載のエンティティ。
【請求項１１】
現在実行中のシグナリング交信を終了した後、前記旧トンネルの資源を解放するように構成された解放モジュールをさらに含むことを特徴とする請求項8に記載のエンティティ。
【請求項１２】
旧トンネルに対応するインターワーキングソリューション(IWS)機能エンティティが、新トンネルに対応するIWSまたは移動管理エンティティ(MME)によって送信されたトンネルリダイレクション通知を受信するステップと、
前記旧トンネルに対応する前記IWSが、前記トンネルリダイレクション通知に従って、現在実行中のシグナリング交信を終了するステップと、
を含むことを特徴とするトンネルリダイレクション方法。
【請求項１３】
前記旧トンネルに対応する前記IWSが、前記トンネルリダイレクション通知に従って、現在実行中のシグナリング交信を前記終了するステップの後に、前記方法が、前記旧トンネルに対応する前記IWSが、前記旧トンネルの資源を解放するステップをさらに含むことを特徴とする請求項12に記載の方法。
【請求項１４】
旧トンネルに対応するインターワーキング機能エンティティIWSが、移動管理エンティティMMEによって送信されたトンネルリダイレクション通知を前記受信するステップが、具体的には、
前記旧トンネルに対応する前記IWSが前記MMEによって送信された前記トンネルリダイレクション通知を受信するステップを具備し、
前記MMEがトンネルのリダイレクションをする必要があると判定した後、前記トンネルリダイレクション通知が送信されることを特徴とする請求項12に記載の方法。
【請求項１５】
旧トンネルに対応するインターワーキング機能エンティティIWSが、新トンネルに対応するIWSによって送信されたトンネルリダイレクション通知を前記受信するステップが、具体的には、
前記旧トンネルに対応する前記IWSが、前記旧トンネルに対応する前記IWSの識別子に従って前記新トンネルに対応する前記IWSによって送信された前記トンネルリダイレクション通知を受信するステップを具備し、
前記MMEがトンネルのリダイレクションをする必要があると判定した後、前記旧トンネルに対応する前記IWSの前記識別子が前記MMEによって前記新トンネルに対応する前記IWSに送信されることを特徴とする請求項12に記載の方法。
【請求項１６】
新トンネルに対応するインターワーキングソリューション(IWS)機能エンティティまたは移動管理エンティティ(MME)によって送信されたトンネルリダイレクション通知を受信するように構成された受信モジュールと、
前記受信モジュールが受信した前記トンネルリダイレクション通知に従って、現在実行中のシグナリング交信を終了するように構成されたプロセッシングモジュールと、
を含むことを特徴とするインターワーキング機能エンティティ。
【請求項１７】
前記プロセッシングモジュールが前記現在実行中のシグナリング交信を終了した後、前記旧トンネルの資源を解放するように構成された解放モジュールをさらに含むことを特徴とする請求項16に記載のエンティティ。
【手続補正２】
【補正対象書類名】図面
【補正対象項目名】図２
【補正方法】変更
【補正の内容】
【図２】
2013546278.tif 000015
【手続補正３】
【補正対象書類名】図面
【補正対象項目名】図６
【補正方法】変更
【補正の内容】
【図６】
2013546278.tif 000016
【手続補正４】
【補正対象書類名】明細書
【補正対象項目名】０００２
【補正方法】変更
【補正の内容】
【０００２】
ワイヤレスブロードバンド技術の課題に対応し既存のネットワーク資源を十分に利用するために、CDMA(符号分割多元接続) 1xの通信事業者は、ユーザにデータサービスを提供するためにLTE(長期進化型)ネットワークを使用し、ユーザに音声サービスを提供するためにCDMA 1xネットワークを使用し、LTEネットワークエンティティとCDMA 1xネットワークエンティティとを結合するために設計された1xCS(1x回線交換, Circuit Switched) IWS(インターワーキングソリューション)機能エンティティを用いて、LTEネットワークエンティティとCDMA 1xネットワークエンティティとの間のインターワーキングを提供している。説明を簡単にするために、以降、本明細書では1xCS IWSをIWSと記す。
【手続補正５】
【補正対象書類名】明細書
【補正対象項目名】０００３
【補正方法】変更
【補正の内容】
【０００３】
例えば、LTEネットワークにキャンプオン(camp on)するUE(ユーザ端末)は、1xネットワークに向かう1xシグナリングをMME(移動管理エンティティ)に送信し、次いでMMEは、IWSとの間に確立されたS102トンネルを経由してこの1xシグナリングを対応するIWSに転送する。UEをサービング(serving)している現行のeNB(進化型NodeB)が変わった場合、S102トンネルを再び確立する必要があり、すなわち、トンネルはリダイレクションされる。従来技術ではトンネルリダイレクションを処理する場合、MMEは、対応するIWSを再選択し、IWSとの間に新しいS102トンネルを確立した後、UEから送信された1xシグナリングを新トンネルを経由して再選択されたIWSに送信する。
【手続補正６】
【補正対象書類名】明細書
【補正対象項目名】００１６
【補正方法】変更
【補正の内容】
【００１６】
［実施形態1］
まず、図1に示す回線交換フォールバックネットワーキング構造の概略図を参照する。UEがLTEネットワークのカバレッジエリア内に位置するとき、UEはLTEネットワークにキャンプオンし、もはやCDMA信号を監視しない。このとき、UEがCDMA 1xネットワークで音声サービスを利用する必要がある場合、UEはLTEネットワークからCDMA 1xネットワークにフォールバックする必要がある。図1に示すように、CSFB(CSフォールバック)が可能なUEは、LTEネットワークにキャンプオンしているとき、1x回線交換ドメインで1xネットワークを使用して音声通話を確立するために、S102トンネルを経由してCSドメインで事前登録を実行することができる。このとき、UEから1xRTT(1xRadio Transmission Technology) MSC(Mobile switching Center)に送信されるシグナリングは、順に、E-UTRAN(進化型UMTS地上波無線アクセスネットワーク)、MME、1xCS IWSを経由して1xRTT MSCに到達し、1xRTT MSCからUEに送信されるシグナリングは、逆方向パスを伝わる。UEと1xRTT MSCとの間のシグナリング交信用のパスを、図1に点線で示す。S102インターフェースは、3GPP2(第3世代パートナーシッププロジェクト2) 1xCSシグナリングメッセージを転送するために、MMEと3GPP2 1xCS IWSとの間にトンネルを提供する。S11は、MMEとサービングGW(サービングゲートウェイ)またはPDN GW(パケットデータネットワークゲートウェイ)との間のインターフェースであり、S1-Uは、E-UTRANとサービングGW/ PDN GWとの間のインターフェースであり、S1-MMEは、E-UTRANとMMEとの間のインターフェースである。
【手続補正７】
【補正対象書類名】明細書
【補正対象項目名】００１９
【補正方法】変更
【補正の内容】
【００１９】
202:旧トンネルに対応するIWSが、トンネルリダイレクション通知に従って新トンネルに対応するIWSまたはMMEにシグナリング転送指示を送信する。
【手続補正８】
【補正対象書類名】明細書
【補正対象項目名】００２０
【補正方法】変更
【補正の内容】
【００２０】
203:旧トンネルに対応するIWSが、シグナリング転送指示に従って新トンネルに対応するIWSまたはMMEによって転送されたシグナリングを受信する。
【手続補正９】
【補正対象書類名】明細書
【補正対象項目名】００２１
【補正方法】変更
【補正の内容】
【００２１】
この実施形態および後続の実施形態では、トンネルリダイレクション前に使用していたトンネルを旧トンネル(original tunnel)と記し、トンネルリダイレクション後に確立されたトンネルを新トンネル(new tunnel)と記す。
【手続補正１０】
【補正対象書類名】明細書
【補正対象項目名】００２３
【補正方法】変更
【補正の内容】
【００２３】
あるいは、シグナリング転送指示に従って、新トンネルに対応するIWSまたはMMEによって転送されたシグナリングを受信するステップが、具体的には、プリセット期間内、新トンネルに対応するIWSまたはMMEによって転送されたシグナリングを受信するステップと、MMEまたは新トンネルに対応するIWSが、プリセット期間後、シグナリングの転送を停止するステップとを含む。
【手続補正１１】
【補正対象書類名】明細書
【補正対象項目名】００５０
【補正方法】変更
【補正の内容】
【００５０】
このステップでは、MMEは、eNB2が構成した参照セル識別子に従って、トンネルのリダイレクションをする必要があると判定した後、UE用にIWS2へのS102トンネルを確立し、IWS2がIWS1とのシグナリング交信を実行するため、かつIWS2がトンネルリダイレクションをIWS1に通知するために、MMEは、IWS1の識別子をIWS2に送信する。
【手続補正１２】
【補正対象書類名】明細書
【補正対象項目名】００６３
【補正方法】変更
【補正の内容】
【００６３】
602:旧トンネルに対応するIWSが、トンネルリダイレクション通知に従って、現在実行中のシグナリング交信を終了する。
【手続補正１３】
【補正対象書類名】明細書
【補正対象項目名】００６９
【補正方法】変更
【補正の内容】
【００６９】
［実施形態5］
この実施形態では、トンネルリダイレクション方法を提供する。さらに、図3に示すリダイレクションの概略図を一例として挙げる。トンネルリダイレクション後の資源の浪費を避けるために、MMEは、転送されたUEの1xシグナリングの行き先IWSが以前に転送された1xシグナリングの行き先IWSと異なることが分かると、以前に1xシグナリングを転送した行き先IWSに、UEの上りリンク1xシグナリングを別のIWSに転送することを通知する。具体的には、図7に示し、この実施形態で提供される方法のプロセスを以下に述べる。
【手続補正１４】
【補正対象書類名】明細書
【補正対象項目名】００７６
【補正方法】変更
【補正の内容】
【００７６】
このステップでは、UEから送信された各1xシグナリングは、対応するeNBを経由してMMEに送信される。別々のUEから送信された1xシグナリングを区別するために、対応するUEの識別子を各メッセージ中に含め運ぶ。したがって、MMEが、eNB2によってサービングされている同一のUEから送信された1xシグナリングを受信した後、eNB2が構成したReference Cell ID2パラメータは、以前転送した行き先IWS1と異なるIWS2にMME内でマッピングされるので、MMEは、eNB2が構成した参照セル識別子に従って、UEのトンネルのリダイレクションをする必要があると判定することができる。
【手続補正１５】
【補正対象書類名】明細書
【補正対象項目名】００９２
【補正方法】変更
【補正の内容】
【００９２】
このステップでは、MMEは、eNB2が構成した参照セル識別子に従って、トンネルのリダイレクションをする必要があると判定した後、UE用にIWS2へのS102トンネルを確立し、IWS2がIWS1とのシグナリング交信を実行するため、またIWS2がトンネルリダイレクションをIWS1に通知するために、MMEはIWS1の識別子をIWS2に送信する。
【手続補正１６】
【補正対象書類名】明細書
【補正対象項目名】０１０３
【補正方法】変更
【補正の内容】
【０１０３】
あるいは、第2の受信モジュール903は、具体的には、プリセット期間内、新トンネルに対応するIWSまたはMMEによって転送されたシグナリングを受信するように構成される。
【国際調査報告】
2013546278.tif 000017
2013546278.tif 000018
2013546278.tif 000019
2013546278.tif 000020